(57)【要約】      （修正有）【課題】個室内の配置するリモコンを一台にし、リモコンの長時間駆動を可能にする一人カラオケ用個室を提供する。【解決手段】カラオケ音楽を再生する装置と、カラオケの歌詞テロップを表示するモニター画面と、マイクと、ヘッドホンとを格納する。カラオケ音楽の楽曲を選曲し再生させるために用いるリモコンに、利用者が歌唱姿勢および待機姿勢において支障なく視認できかつ操作ができる状態で電源を供給できるようにする。【選択図】図１
0003176561.tif 000002
【実用新案登録請求の範囲】
【請求項１】
カラオケ音楽を再生する装置と、カラオケの歌詞テロップを表示するモニター画面と、自分の声を集音するマイクと、カラオケ音楽と自分の声をミックスした再生音楽を聴くヘッドホンと、格納したひとりカラオケを楽しむ個室であって、
前記カラオケ音楽の楽曲を選曲し再生させるために用いるリモコンに、利用者が歌唱姿勢および待機姿勢において支障なく視認できかつ操作ができる状態で、電源を供給できることを特徴とする一人カラオケ用個室。
【請求項２】
前記リモコンは、机などの板面上面に配置されていることを特徴とする前記請求項１記載の一人カラオケ用個室。
【請求項３】
前記リモコンは、前記モニター画面側に略垂直に配置されていることを特徴とする前記請求項１記載の一人カラオケ用個室。
【請求項４】
請求項１乃至請求項３の記載において、電源端子が側面に配置された前記リモコンを、側部に対向するクレードル電源端子に対して接触を確保し、脱着も可能とする装着位置を特定する手段を備えたことを特徴とする一人カラオケ用個室。
【請求項５】
請求項４記載の前記リモコンの装着位置を特定する手段において、リモコンの機種変更に容易に対応できることを特徴とする一人カラオケ用個室。
【請求項６】
請求項５記載のリモコン機種変更対応方法において、リモコン装着用開口部寸法の修正を可能とする手段と、前記リモコンの電源供給口に対応した前記クレードル電源端子を交換することを特徴とする一人カラオケ用個室。
【請求項７】
請求項５記載のリモコン機種変更対応方法において、リモコンの機種に対応した装着用開口部寸法と前記クレードル電源端子とを一体的に備えたアタッチメントを用い、当該アタッチメントの変更で前記リモコンの機種変更に対応することを特徴とする一人カラオケ用個室。
【考案の詳細な説明】
【技術分野】
【０００１】  本考案は、カラオケを一人で楽しむ娯楽室に関するものである。
【背景技術】
【０００２】  今やカラオケは老若男女で楽しむ娯楽のひとつである。本考案の出願人も実用新案登録第３１２５５８４号を申請している。要するに今までは複数人、あるいはパーティーなどの多数でカラオケを楽しむ利用から、一人でカラオケを楽しんだり、またカラオケの練習として利用できるものへと変化していることを受けて、出願されたものである。【０００３】
【先行技術文献】
【特許文献】
【０００４】
【特許文献１】実用新案登録第３１３９７４５号公報
【特許文献２】特開平５−２１６４８６号公報
【考案の概要】
【考案が解決しようとする課題】
【０００５】  カラオケを１人で楽しむ個室環境は、特許文献にも挙げられるように今日までにも色々な事例がある。要するに、個室でカラオケを楽しむ為に最低限必要とする設備には、カラオケ装置、カラオケの音楽を聴くヘッドホンなどと、歌詞テロップを表示するモニター画面と、歌いたい曲を選曲するリモコンと、自分の声を集音するマイクと、個室そのもので一人カラオケ用個室の環境が整う。【０００６】  一人カラオケ用個室であるが故に、外部への音の漏れや、個人ひとりがカラオケを楽しむだけで済むことから、カラオケ音楽と自分の肉声をミックスした音は、ヘッドホンで聴くことが一般的で、このような一人カラオケ用個室に人気がある。【０００７】  一般的にはカラオケ装置の選曲や各種ボリュームなどを制御するリモコンは、いわゆる複数人を収容するカラオケボックスや、スナックなどでは大勢の利用者からの選曲（リクエスト）に対応する必要があることからリモコンの台数も２台以上を常設する環境が取られている。例えばカラオケボックスにおけるリモコンにおいて、リモコンを貸出式で使用させる店舗では、カラオケボックスの受付カウンターの収納ボックスや所望の場所に常時充電させるクレードルに差し込まれて、使用されるまで待機、充電中とされている。また、カラオケボックスルーム内に設置されている店舗では、カラオケ装置のラックや部屋の片隅に設置されたクレードルに差し込まれて、カラオケボックスの利用者が来場するまで待機、充電中とされている。【０００８】  しかしながら、個室で基本的には一人の利用者が独占してカラオケを楽しむのが一人カラオケ用個室であるので、リモコンを複数人で奪い取ることもなく、リモコンの台数としては１台あれば十分であるのが実情である。ところが、このリモコン１台だけでカラオケを楽しむ環境には、通常リモコンは内臓されているバッテリーで動作する使い勝手から、万が一その一台のリモコン充電が切れてしまった場合には、全くカラオケを楽しむことができなくなるといった問題を備えている。【０００９】  そこで本願実用新案では、リモコンの充電が切れることが無い環境を実現することを目的として考案されたものである。
【課題を解決するための手段】
【００１０】  本考案は、上述する個室環境でのカラオケを満喫し、また長時間のリモコンの使用にも耐えうることを実現した一人カラオケ用個室を提供することにある。【００１１】  従って、上述の課題を解決するため請求項１では、カラオケ音楽を再生する装置と、カラオケの歌詞テロップを表示するモニター画面と、自分の声を集音するマイクと、カラオケ音楽と自分の声をミックスした再生音楽を聴くヘッドホンと、格納したひとりカラオケを楽しむ個室であって、前記カラオケ音楽の楽曲を選曲し再生させるために用いるリモコンに、利用者が歌唱姿勢および待機姿勢において支障なく視認できかつ操作ができる状態で、電源を供給できることを特徴とするものである。【００１２】  また、請求項２では、請求項１記載のリモコンが、机などの板面上面に配置されていることを特徴とするものである。【００１３】  そして、請求項３では、請求項１記載のリモコンが、前記モニター画面側に略垂直に配置されていることを特徴とするものである。【００１４】  また、請求項４では、請求項１乃至請求項３において、電源端子が側面に配置された前記リモコンを、当該リモコン側部の電源端子に対向するクレードル電源端子に対して接触を確保し、脱着も可能とする、リモコン装着位置を特定する手段を備えたことを特徴とするものである。【００１５】  そして更に請求項５では、請求項４記載の前記リモコンの装着位置を特定する手段において、リモコンの機種変更に容易に対応できることを特徴とするものである。【００１６】  更に請求項６では、請求項５記載のリモコン機種変更対応方法において、リモコン装着用開口部寸法の修正を可能とする手段と、前記リモコンの電源供給口に対応した前記クレードル電源端子を交換することを特徴とするものである。【００１７】  また請求項７では、請求項５記載のリモコン機種変更対応方法において、リモコンの機種に対応したリモコン装着用開口部寸法と前記クレードル電源端子とを一体的に備えたアタッチメントを用い、当該アタッチメントの交換で前記リモコンの機種変更に対応することを特徴とするとするものである。【００１８】  要するに、個室内でカラオケを楽しむに当たり、カラオケ装置への選曲や各種設定などに用いるリモコンを、リモコン専用のクレードル（専用の充電器）と常時接続する構造にしたことで解決するもので、例えば個室内のテーブルや台などといった板面上面にリモコンを嵌め込む形態となったことを特徴とし、リモコンを嵌め込むことによりリモコンの充電接続端子と、クレードル充電接続端子とが接続する格好となり、長時間のリモコンの使用についても全く充電の待ち時間を必要としない環境を得ることを特徴とするものである。【００１９】  また、リモコンの載置は略水平に配置することで通常の歌唱姿勢や待機姿勢など少なくとも視認と操作性を考えた配置であることに加えて、一例として別の用途で板面上を机上として使用することが想定されている場合には、モニター画面側の壁面などにも取り付けることができることで、リモコンの使い勝手を良くするものである。【００２０】  そして、リモコンは適当なテーブルや台などの板面上面の、リモコン装着用開口部（凹み）に実装する場合に、リモコンの種��やメーカの変更即ち機種変更が必要となった場合でも、リモコン本体の形状と合致するような工夫として、リモコン装着用開口部寸法の修正を可能とする手段と併せて前記リモコンの電源供給口に対応した前記クレードル電源端子を交換することや、リモコンの機種に対応したリモコン装着用開口部寸法と前記クレードル電源端子とを一体的に備えたアタッチメントを用いことにより、容易に機種変更に対応する構造となっている。【００２１】  本考案は上述するように、リモコンは適当なテーブルや台などの板面上面や、リモコン装着用開口部（凹み）に実装するなどし、リモコンの長時間使用について充電の待ち時間を必要としない環境を得ることを主願して考案されたものである。
【図面の簡単な説明】
【００２２】
【図１】  本考案の概念を示すイメージ図である。
【図２】  利用者から見た個室内と、操作性の範囲を示す図である。
【図３】  使用状態の一例として、リモコンを板面上面に実装したときの概念図である。
【図４】  クレードルを配置してリモコンを設置する他の実施例を説明する図である。
【図５】  図３Ａ−Ａ断面図により、リモコンの充電用端子とクレードルの充電用端子とが接触する様子を示す概念図である。
【図６】  リモコン装着用開口部寸法の修正方法とクレードル電源端子の交換を説明する図である。
【図７】  リモコンの外形と電極構造を有するアタッチメントに実装した形態で嵌め込む構造を説明する図である。
【考案を実施するための形態】
【００２３】  本考案の実施形態を図面に基づいて説明する。
【実施例】
【００２４】  図１は本考案の概念を示すイメージ図である。大人ひとりが入室でき、カラオケを楽しむのに最低限のシステムとして、カラオケを再生する装置（１）と、カラオケの音楽を聴くヘッドホン（４）、歌詞テロップを表示するモニター画面（２）と、歌いたい曲を選曲するリモコン（７）と、自分の声を集音するマイク（３）と、これらを格納する個室（５）そのもので一人カラオケ用個室の環境が整っている。
なお、図１では音楽を聴くのにヘッドホン（４）を用いているが、スピーカを使用して音楽を聴くものであっても構わない。【００２５】  個室（５）には入口扉（６）があり、この入口扉（６）を閉めることで個室（５）内と外とは簡易的ではあるが遮音ができる。【００２６】  さて、本考案の一人カラオケ用個室（５）の特徴は、リモコン（７）の充電が切れること無くカラオケを満喫できるように、長時間リモコン（７）の使用を可能にした一人カラオケ用個室を提供することにある。【００２７】  一般的なカラオケ用リモコン（７）の充電には、クレードル（８）と呼ばれる充電用リモコン設置台が用いられる。前述のように一般的なカラオケ店舗では、リモコン（７）非使用時の充電を前提としているため、クレードル（８）の形状、一般的配置の考慮においては充電中の使用を想定していない。【００２８】  本考案では、一般的なクレードル（８）の使用前提とは異なり、操作中に充電を行うことに焦点を当てたものである。なお、本考案の実現方法にはクレードル（８）あるいはクレードル（８）の構成部品を活用する方法も含まれ、例えれば電源供給用の端子が設置されたクレードル（８）を机（９）に取り付けてもよく、机（９）とクレードル（８）を一体に構成しても良く設計的事項として選択すればよい。【００２９】  図２は、利用者から見た室内のイメージ図で、利用者が歌唱姿勢および待機姿勢において支障なく視認できかつ操作ができる状態でリモコン（７）を嵌め込んでいる様子を一例として示したものである。本例においては、利用者が個室内で歌唱あるいは待機する際に通常向いているモニター側で、操作にあたって姿勢を崩すことなく手が届くであろう距離にリモコン（７）を配置している。【００３０】  また、図３は、リモコン（７）を机（９）の板面上面に実装したときの様子を示した図である。【００３１】  一方、図３に示すリモコン（７）設置位置、即ち板面上面を、楽譜を置いたり、筆記をしたりして使用することが想定される場合には、利用者にとって当該設置位置はリモコン（７）操作にあたって不都合であることから、そのような場合には、板面上面に略水平に配置することにこだわらず、図４に示すように操作にあたって支障のない距離の範囲でモニター画面側に略垂直に配置してもよい。【００３２】  なお、図４のように略垂直にリモコン（７）を配置する場合には、リモコン（７）の電源端子は下部に位置しており、一般的なカラオケ用リモコンのクレードル（８）と同様にリモコン（７）自体の自重で、リモコン（７）とクレードル（８）の通電端子同士の接触状態を保てる。【００３３】  一方、図３のようにリモコン（７）を板面上面に略水平に配置する場合には、自重による通電端子の圧着は行われないが、リモコン（７）の外形に合わせたリモコン設置用開口部（８２）を板面上部に設け、そこにリモコン（７）を置くことにより通電端子同士の接触を実現することができる。【００３４】  さらに、図５に示すようにリモコン（７）外形に一般的にみられる通電端子と反対側の傾斜（１０）を利用し、当該傾斜に対応したテーパー（１１）をリモコン設置用開口部（８２）に施すことにより、リモコン（７）の重力方向に下降しようとする作用を、���モコン（７）の充電用端子とクレードル（８）の（充電）端子との接触を強める方向の作用に転換することができる。これにより、略水平配置においても、別段の圧着用の機構を用意することなく、外形上の特性によりリモコンの自重による重力作用をもって端子の圧着を確保することができる。【００３５】  通常のカラオケ用リモコン（７）はカラオケ機器の機種更新などに合わせ数年に１度程度新機種に置き換えられるものである。また、何等かの理由により、別のメーカーのものなどを使用するカラオケ機器に変更することもあり、その場合には変更したカラオケ装置（１）に対応したリモコン（７）に変更する必要が生じる。【００３６】  要するに、ある特定のカラオケ個室（５）で使用されるリモコン（７）の機種は一定頻度で変更されるものである。本考案においては、板面上面など個室の什器に対し使用するリモコン（７）の外形に合わせたリモコン設置用開口部（８２）を設けることとしているが、個室の改修頻度に対し、使用リモコン（７）の変更頻度がより高いと想定されることから、本考案の目的を維持しながらリモコン（７）の機種変更に備えた構造を実現する必要がある。【００３７】    図６では、請求項６に示すとおり、リモコン装着用開口部（８２）の寸法の修正を行う手段の一例と、リモコン（７）の通電端子の形状に合わせてクレードル（８）側の通電端子を変更する様子を示している。【００３８】  本実施例では、寸法調整の方法としてネジなどによりテーパー（１１）部を移動させる方法を示している。なお、本調整機構は略水平面の二次元座標軸双方施されることで、様々な外形寸法のリモコン（７）に対応できるようになっている。リモコンの通電端子は個別にその位置、形状などが異なることから、本考案ではクレードル（８）の通電端子については、なんらかの調整機構を備えるのではなく、端子部分自体を交換しやすい構造とすることを想定している。【００３９】  要するに、使用するリモコンの外形形状の変更に対応できるようにリモコン（７）を嵌め込むリモコン装着用開口部（８２）の寸法を容易に変更、調節することができ、クレードル（８）の通電端子部分の取り換えを容易にしておくことで、リモコン（７）の機種変更に対応できる仕組みである。【００４０】  また、更にはリモコン（７）の表示面の傾斜を変更できるように、リモコン（７）全体の取付角度を変えて固定することも使い勝手を良くすることとなる。【００４１】    図７は、リモコン装着用開口部（８２）寸法の調整機構を備えるのではなく、各リモコン（７１ａ、７１ｂ）の外形寸法と通電端子に対応したアタッチメント（８１ａ、８１ｂ）を用いる方法によりリモコン（７１ａ、７１ｂ）の機種変更への対応を容易とする様子を示すものである。【００４２】  板面上面などのカラオケ個室内の什器には、リモコン（７１ａ、７１ｂ）を配置すべき部位に実際のリモコン装着用開口部（８２）よりもやや大きめのリモコン装着用開口部（８２）を設け、当該リモコン装着用開口部（８２）と各個別のリモコン（７１ａ、７１ｂ）機種との隙間を埋めるアタッチメント（８１ａ、８１ｂ）を用意することで、機種変更時には当該アタッチメントの変更のみで簡単に対応できる。個別機種毎��形状、位置が細かく異なる通電端子についても各個別機種毎にアタッチメントを用意することで対応が可能となる。【００４３】  要するに、機種変更に対応して変更すべき部位をアタッチメントの範疇に収めることで、什器自体を改修することなくリモコンの機種変更に対応できるものである。図７では、外形寸法がＸ１×Ｙ１であるリモコン７１ａから、外形寸法がＸ２×Ｙ２であるリモコン７１ｂに機種変更するにあたり、アタッチメントを８１ａから８１ｂに変更することのみで実現できる状態を示している。【００４４】  アタッチメント（８１ａ、８１ｂ）の材質は特に問うものではないが、電極配置を考慮することから絶縁性があり、加工性の良い樹脂材などを成形した部材が好ましい。【００４５】  そして、アタッチメント（８１ａ、８１ｂ）に直接電源を接続することで、アタッチメント（８１ａ、８１ｂ）内側のクレードル通電端子からリモコン（７１ａ、７１ｂ）通電端子に電源が供給される構造となっている。【００４６】  要するに、新たに使用するリモコンに合わせた内部形状、寸法、電極構造を有するアタッチメントを用意することで、リモコンの機種変更には即座に対応することが可能となる。
【符号の説明】
【００４７】  １・・・カラオケ装置
２・・・モニター画面
３・・・マイク
４・・・ヘッドホン
５・・・カラオケ個室
６・・・入口扉
７、７１、７１ａ、７１ｂ・・・リモコン
８、８１ａ、８１ｂ・・・クレードル
９・・・机
１０・・・傾斜
１１・・・テーパー
８１・・・アタッチメント
８２・・・リモコン装着用開口部
【図１】
0003176561.tif 000003
【図２】
0003176561.tif 000004
【図３】
0003176561.tif 000005
【図４】
0003176561.tif 000006
【図５】
0003176561.tif 000007
【図６】
0003176561.tif 000008
【図７】
0003176561.tif 000009
【手続補正書】
【提出日】平成24年4月13日(2012.4.13)
【手続補正１】
【補正対象書類名】実用新案登録請求の範囲
【補正対象項目名】全文
【補正方法】変更
【補正の内容】
【実用新案登録請求の範囲】
【請求項１】
カラオケ音楽を再生する装置と、カラオケの歌詞テロップを表示するモニター画面と、自分の声を集音するマイクと、カラオケ音楽と自分の声をミックスした再生音楽を聴くヘッドホンと、格納したひとりカラオケを楽しむ個室であって、
前記カラオケ音楽の楽曲を選曲し再生させるために用いるリモコンに、利用者が歌唱姿勢および待機姿勢において支障なく視認できかつ操作ができる状態で、電源を供給できることを特徴とする一人カラオケ用個室。
【請求項２】
前記リモコンは、机などの板面上面に配置されていることを特徴とする前記請求項１記載の一人カラオケ用個室。
【請求項３】
前記リモコンは、前記モニター画面側に略垂直に配置されていることを特徴とする前記請求項１記載の一人カラオケ用個室。
【請求項４】
前記リモコンの側部に対向する電源端子を備え、前記電源端子と前記リモコン側部に配置されたリモコン側電源端子との接触を確保し、前記リモコンの装着位置を特定するクレードルを介して、前記リモコンを配置することを特徴とする前記請求項１乃至請求項３の何れか一項に記載の一人カラオケ用個室。
【請求項５】
前記クレードルにおいて、装着するリモコンの外形寸法に対応して寸法の修正が可能なリモコン装着用開口部と、装着するリモコン側の電源端子に対応して交換が可能なクレードル電源端子を備え、リモコンの機種変更に容易に対応できることを特徴とする前記請求項４記載の一人カラオケ用個室。
【請求項６】
前記クレードルにおいて、装着するリモコンの機種に対応した寸法の装着用開口部と電源端子を一体的に備えた交換可能なアタッチメントを備えることで、リモコンの機種変更に容易に対応できることを特徴とする前記請求項４記載の一人カラオケ用個室。
【手続補正２】
【補正対象書類名】明細書
【補正対象項目名】００１４
【補正方法】変更
【補正の内容】
【００１４】
また、請求項４の一人カラオケ用個室は、請求項１乃至請求項３の何れか一項の記載において、前記リモコンの側部に対向する電源端子を備え、前記電源端子と前記リモコン側部に配置されたリモコン側電源端子との接触を確保し、前記リモコンの装着位置を特定するクレードルを介して、前記リモコンを配置することを特徴とするものである。
【手続補正３】
【補正対象書類名】明細書
【補正対象項目名】００１５
【補正方法】変更
【補正の内容】
【００１５】
そして更に請求項５と請求項６では、請求項４に記載するリモコンの機種変更を容易に対応できる具体的な方法を記述している。
【手続補正４】
【補正対象書類名】明細書
【補正対象項目名】００１６
【補正方法】変更
【補正の内容】
【００１６】
すなわち、請求項５の一人カラオケ用個室は、請求項４記載の前記クレードルにおいて、装着するリモコンの外形寸法に対応して寸法の修正が可能なリモコン装着用開口部と、装着するリモコン側の電源端子に対応して交換が可能なクレードル電源端子を備え、リモコンの機種変更に容易に対応できることを特徴とするものである。
【手続補正５】
【補正対象書類名】明細書
【補正対象項目名】００１７
【補正方法】変更
【補正の内容】
【００１７】
また請求項６の一人カラオケ用個室は、請求項４記載の前記クレードルにおいて、装着するリモコンの機種に対応した寸法の装着用開口部と電源端子を一体的に備えた交換可能なアタッチメントを備えることで、リモコンの機種変更に容易に対応できることを特徴とするものである。